(57)【要約】    【課題】  滑らかで良質な動画表示が得られるようにした場合であっても小型化が容易な構造をもつとともに、静止画を表示するときや動画表示の滑らかさよりも画面の明るさが優先されるようなときにおいても光利用効率が大幅に低下しないプロジェクタを提供する。    【解決手段】  光源装置１１０と、インテグレータロッド１２０と、リレー光学系１４０と、液晶表示装置４００と、投写光学系６００と、光シャッタとしての回転板２０とを備えたプロジェクタであって、回転板２０を光路内外の進行位置と退避位置との間で移動させるための移動装置７３０と、回転板２０を進行位置又は退避位置のいずれかに固定するためのロック装置７４０とをさらに備えたことを特徴とするプロジェクタ。【選択図】  図２
2005208131.tif 000002
【特許請求の範囲】
【請求項１】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光入射面近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、
前記光シャッタを光路内の進行位置と光路外の退避位置との間で移動させるための移動装置と、
前記光シャッタを前記進行位置又は前記退避位置のいずれかに固定するためのロック装置とをさらに備えたことを特徴とするプロジェクタ。
【請求項２】
被照明領域側に照明光束を集束光束として射出する光源装置と、
この光源装置からの照明光束が集束する位置よりも前記光源装置から遠い側に配置され、前記光源装置からの照明光束を略平行な照明光束に変換する平行化凸レンズと、
この平行化凸レンズからの照明光束を複数の部分光束に分割するための複数の小レンズを有する第１レンズアレイと、
この第１レンズアレイの前記複数の小レンズに対応する複数の小レンズを有する第２レンズアレイと、
この第２レンズアレイからの各部分光束を被照明領域で重畳させるための重畳レンズと、
この重畳レンズによって重畳された照明光束を画像情報に応じて変調する電気光学変調装置と、
この電気光学変調装置によって変調された照明光束を投写する投写光学系と、
前記光源装置からの照明光束が集束する位置近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、
前記光シャッタを光路内外の進行位置と退避位置との間で移動させるための移動装置と、
前記光シャッタを前記進行位置又は前記退避位置のいずれかに固定するためのロック装置とをさらに備えたことを特徴とするプロジェクタ。
【請求項３】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光射出面近傍に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように、渦巻き状に形成された光透過領域と光非透過領域とを有する回転ホイールとを備えたプロジェクタであって、
前記回転ホイールを光路内外の進行位置と退避位置との間で移動させるための移動装置と、
前記回転ホイールを前記進行位置又は前記退避位置のいずれかに固定するためのロック装置とをさらに備えたことを特徴とするプロジェクタ。
【請求項４】
被照明領域側に照明光束を集束光束として射出する光源装置と、
この光源装置からの照明光束が集束する位置近傍に光入射面を有し、前記光源装置からの照明光束をより均一な強度分布を有する照明光束に変換するインテグレータロッドと、
このインテグレータロッドからの照明光束を被照明領域に導くリレー光学系と、
このリレー光学系からの照明光束を画像情報に応じて変調する電気光学変調装置と、
この電気光学変調装置によって変調された照明光束を投写する投写光学系と、
前記インテグレータロッドの光入射面近傍に配置され、光軸に平行な回転軸を有するとともに、その回転によって、前記電気光学変調装置に照射される照明光束を時分割方式により色分離するカラーホイールとを備えたプロジェクタにおいて、
前記カラーホイールを光路内外の進行位置と退避位置との間で移動させるための移動装置と、
前記カラーホイールを前記進行位置又は前記退避位置のいずれかに固定するためのロック装置とをさらに備えたことを特徴とするプロジェクタ。
【請求項５】
請求項１〜４のいずれかに記載のプロジェクタにおいて、
前記ロック装置は、前記移動装置を駆動する駆動モータによって駆動されるように構成されていることを特徴とするプロジェクタ。
【請求項６】
請求項１〜５のいずれかに記載のプロジェクタにおいて、
前記移動装置は、前記駆動モータの駆動によって回転するピニオン及びこのピニオンの回転によって進退するラックを有するラック-ピニオン装置を有し、
前記ロック装置は、前記駆動モータの駆動によって回転するカム及びこのカムの回転によって前記ラックの係止又は係止解除を制御するロックピンを有することを特徴とするプロジェクタ。
【請求項７】
請求項６に記載のプロジェクタにおいて、
前記ラック−ピニオン装置は、前記進行位置及び前記退避位置でピニオンが空転するように構成されていることを特徴とするプロジェクタ。
【請求項８】
請求項６又は７に記載のプロジェクタにおいて、
前記ラックは、前記進行位置においては光路側から離間する方向に退避を開始する状態に保持され、かつ、前記退避位置においては光路側に接近する方向に進行を開始する状態に保持されるように構成されていることを特徴とするプロジェクタ。
【請求項９】
請求項８に記載のプロジェクタにおいて、
前記ラックは、前記進行位置においては第１スプリングによってピニオン側に付勢され、かつ、前記退避位置においては第２スプリングによってピニオン側に付勢されるように構成されていることを特徴とするプロジェクタ。
【発明の詳細な説明】
【技術分野】
【０００１】
本発明はプロジェクタに関する。
【背景技術】
【０００２】
図８は、従来のプロジェクタを説明するために示す図である。図８（ａ）は従来のプロジェクタの光学系を示す図であり、図８（ｂ）及び図８（ｃ）はこのような従来のプロジェクタの問題点を説明するために示す図である。
このプロジェクタ９００Ａにおいては、電気光学変調装置として用いる液晶表示装置４００Ｒ，４００Ｇ，４００Ｂが、図８（ｂ）に示すような輝度特性を有するホールド型の表示装置であるため、図８（ｃ）に示すような輝度特性を有するインパルス型の表示装置であるＣＲＴの場合とは異なり、いわゆる尾引き現象のために滑らな動画表示が得られないという問題がある（この尾引き現象については、例えば、非特許文献１参照。）。
【０００３】
図９は、従来の他のプロジェクタを説明するために示す図である。図９（ａ）は従来の他のプロジェクタの光学系を示す図であり、図９（ｂ）及び図９（ｃ）はこのような従来の他のプロジェクタに用いられる光シャッタを示す図である。
このプロジェクタ９００Ｂにおいては、図９（ａ）に示すように、液晶表示装置４００Ｒ，４００Ｇ，４００Ｂの光入射側に光シャッタ４２０Ｒ，４２０Ｇ，４２０Ｂを配置し、これらの光シャッタにより間欠的に光を遮断するようにして、上記した問題を解決している。すなわち、いわゆる尾引き現象を緩和して滑らかで良質な動画表示が得られるようにしている（例えば、特許文献１参照。）。
【非特許文献１】「ホールド型ディスプレイにおける動画表示の画質」（電子情報通信学会技報  ＥＩＤ９９−１０  第５５〜６０頁（１９９９−０６））
【特許文献１】特開２００２−１４８７１２号公報（図１〜図７）
【発明の開示】
【発明が解決しようとする課題】
【０００４】
しかしながら、このような従来の他のプロジェクタにおいては、液晶表示装置の直前に光シャッタが配置されているため、大きい光シャッタが必要であり、プロジェクタの小型化が容易ではないという問題があった。また、このようなプロジェクタにおいては、光シャッタにより間欠的に光を遮断するようにしているため、滑らかで良質な動画表示が得られるようにしたときはもちろん、静止画を表示するときや動画表示の滑らかさよりも画面の明るさが優先されるようなときにおいても、常に光利用効率が大幅に低下するという問題もあった。
【０００５】
本発明は、このような問題を解決するためになされたもので、滑らかで良質な動画表示が得られるようにした場合であっても小型化が容易な構造をもったプロジェクタを提供することを第１の目的とする。また、静止画を表示するときや動画表示の滑らかさよりも画面の明るさが優先されるようなときにおいても、光利用効率が大幅に低下しないプロジェクタを提供することを第２の目的とする。
【課題を解決するための手段】
【０００６】
（１）本発明者は、光源装置として、被照明領域側に照明光束を集束光束として射出する光源装置を用い、この光源装置からの照明光束が絞られて最小になる領域であるインテグレータロッドの光入射面近傍に、光路内外に移動可能な状態で、光シャッタを配置することにより、上記した第１の目的及び第２の目的がともに達成できることを見出した。
【０００７】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光入射面近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、前記光シャッタを光路内の進行位置と光路外の退避位置との間で移動させるための移動装置と、前記光シャッタを前記進行位置又は前記退避位置のいずれかに固定するためのロック装置とをさらに備えたことを特徴とする。
【０００８】
このため、本発明のプロジェクタによれば、電気光学変調装置に照射される照明光束が電気光学変調装置の画面書込み周波数に同期して遮断されるよう間欠的に光の遮断を行う光シャッタを備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する光シャッタを比較的小さな面積となるインテグレータロッドの光入射面近傍に配置することとしているため、光シャッタの大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【０００９】
また、本発明のプロジェクタによれば、光シャッタを光路内外の進行位置と退避位置との間で移動させるための移動装置をさらに備えているため、静止画を表示するときや動画表示の滑らかさよりも画面の明るさが優先されるようなときには、光シャッタを光路外の位置（退避位置）へ移動することにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには光シャッタを光路内の位置（進行位置）へ移動することにより、滑らかで良質な動画表示を得ることができ、静止画を表示するときや動画表示の滑らかさよりも画面の明るさが優先されるようなときには光シャッタを光路外の位置（退避位置）へ移動することにより、明るい表示画面を得ることができ、使用目的に応じて最適な性能を発揮することができる。
【００１０】
また、本発明のプロジェクタにおいては、光シャッタは本来光路内外の進行位置と退避位置との間で移動可能であるがゆえに不安定となり易いのであるが、本発明のプロジェクタによれば、光シャッタを進行位置又は退避位置のいずれかに固定するためのロック装置をさらに備えているため、光シャッタをロック装置により光路内外の進行位置又は退避位置のいずれかに固定しておくことにより、プロジェクタの運搬時、設置時、取扱時などにおいて不慮の衝撃が加わったとしても、光シャッタが破損してしまうという事態を未然に防止することができる。
【００１１】
（２）本発明者は、光源装置として、被照明領域側に照明光束を集束光束として射出する光源装置を用い、この光源装置からの照明光束が絞られて最小になる領域又はその近傍に、光路内外に移動可能な状態で、光シャッタを配置することにより、上記した第１の目的及び第２の目的がともに達成できることを見出した。
【００１２】
すなわち、本発明のプロジェクタは、被照明領域側に照明光束を集束光束として射出する光源装置と、この光源装置からの照明光束が集束する位置よりも前記光源装置から遠い側に配置され、前記光源装置からの照明光束を略平行な照明光束に変換する平行化レンズと、この平行化レンズからの照明光束を複数の部分光束に分割するための複数の小レンズを有する第１レンズアレイと、この第１レンズアレイの前記複数の小レンズに対応する複数の小レンズを有する第２レンズアレイと、この第２レンズアレイからの各部分光束を被照明領域で重畳させるための重畳レンズと、この重畳レンズによって重畳された照明光束を画像情報に応じて変調する電気光学変調装置と、この電気光学変調装置によって変調された照明光束を投写する投写光学系と、前記光源装置からの照明光束が集束する位置近傍に配置され、光軸に平行な回転軸を有するとともに、その回転によって、前記電気光学変調装置に照射される照明光束が前記電気光学変調装置の画面書込み周波数に同期して遮断されるよう間欠的に光の遮断を行う光シャッタとを備えたプロジェクタであって、前記光シャッタを光路内外の進行位置と退避位置との間で移動させるための移動装置と、前記光シャッタを前記進行位置又は前記退避位置のいずれかに固定するためのロック装置とをさらに備えたことを特徴とする。
【００１３】
このため、本発明のプロジェクタによれば、電気光学変調装置に照射される照明光束が電気光学変調装置の画面書込み周波数に同期して遮断されるよう間欠的に光の遮断を行う光シャッタを備えているため、電気光学変調装置の画像形成領域においては光照射が所定のタイミングで間欠的に行われるようになる。その結果、尾引き現象が緩和され、滑らかで良質な動画表示が得られるプロジェクタとなる。
また、本発明のプロジェクタによれば、このような効果を奏する光シャッタを光源装置からの照明光束が集束する位置近傍に配置することとしているため、光シャッタの大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【００１４】
また、本発明のプロジェクタによれば、光シャッタを光路内外の進行位置と退避位置との間で移動させるための移動装置をさらに備えているため、静止画を表示するときや動画表示の滑らかさよりも画面の明るさが優先されるようなときには、光シャッタを光路外の位置（退避位置）へ移動することにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには光シャッタを光路内の位置（進行位置）へ移動することにより、滑らかで良質な動画表示を得ることができ、静止画を表示するときや動画表示の滑らかさよりも画面の明るさが優先されるようなときには光シャッタを光路外の位置（退避位置）へ移動することにより、明るい表示画面を得ることができ、使用目的に応じて最適な性能を発揮することができる。
【００１５】
また、本発明のプロジェクタにおいては、光シャッタは本来光路内外の進行位置と退避位置との間で移動可能であるがゆえに不安定となり易いのであるが、本発明のプロジェクタによれば、光シャッタを進行位置又は退避位置のいずれかに固定するためのロック装置をさらに備えているため、光シャッタをロック装置により光路内外の進行位置又は退避位置のいずれかに固定しておくことにより、プロジェクタの運搬時、設置時、取扱時などにおいて不慮の衝撃が加わったとしても、光シャッタが破損してしまうという事態を未然に防止することができる。
【００１６】
（３）本発明者は、光均一化光学系としてインテグレータロッドを用い、このインテグレータロッドの光射出面近傍に、光路内外に移動可能な状態で、回転ホイールを配置することにより、上記した第１の目的及び第２の目的がともに達成できることを見出した。
【００１７】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光射出面近傍に配置され、光軸に平行な回転軸を有するとともに、その回転によって、前記電気光学変調装置上で光照射領域と光非照射領域とが前記電気光学変調装置の画面書込み周波数に同期して順次交互にスクロールされるように、渦巻き状に形成された光透過領域と光非透過領域とを有する回転ホイールとを備えたプロジェクタであって、前記回転ホイールを光路内外の進行位置と退避位置との間で移動させるための移動装置と、前記回転ホイールを前記進行位置又は前記退避位置のいずれかに固定するためのロック装置とをさらに備えたことを特徴とする。
【００１８】
このため、本発明のプロジェクタによれば、電気光学変調装置の画面書込み周波数に同期して、光照射領域と光非照射領域とが順次交互にスクロールされるように渦巻き状に形成された光透過領域及び光非透過領域を有する回転ホイールを備えているため、電気光学変調装置の画像形成領域においては光照射領域と光非照射領域とが順次交互にスクロールされるようになる。その結果、尾引き現象が緩和され、滑らかで良質な動画表示が得られるプロジェクタとなる。
また、本発明のプロジェクタによれば、このような効果を奏する回転ホイールを比較的小さな面積となるインテグレータロッドの光射出面近傍に配置することとしているため、回転ホイールの大きさを比較的小さくすることができ、プロジェクタの大型化を極力抑制することができる構造となっている。
このため、本発明のプロジェクタは、滑らかで良質な動画表示が得られるようにした場合であっても小型化が容易な構造をもったプロジェクタとなり、本発明の第１の目的が達成される。
【００１９】
また、本発明のプロジェクタによれば、回転ホイールを光路内外の進行位置と退避位置との間で移動させるための移動装置をさらに備えているため、静止画を表示するときや動画表示の滑らかさよりも画面の明るさが優先されるようなときには、回転ホイールを光路外の位置（退避位置）へ移動することにより、電気光学変調装置には連続して照明光束が照射されるようになり、光利用効率が低下することがなくなり、本発明の第２の目的が達成される。
このため、本発明のプロジェクタによれば、滑らかで良質な動画表示が求められるときには回転ホイールを光路内の位置（進行位置）へ移動することにより、滑らかで良質な動画表示を得ることができ、静止画を表示するときや動画表示の滑らかさよりも画面の明るさが優先されるようなときには回転ホイールを光路外の位置（退避位置）へ移動することにより、明るい表示画面を得ることができ、使用目的に応じて最適な性能を発揮することができる。
【００２０】
また、本発明のプロジェクタにおいては、回転ホイールは本来光路内外の進行位置と退避位置との間で移動可能であるがゆえに不安定となり易いのであるが、本発明のプロジェクタによれば、回転ホイールを進行位置又は退避位置のいずれかに固定するためのロック装置をさらに備えているため、回転ホイールをロック装置により光路内外の進行位置又は退避位置のいずれかに固定しておくことにより、プロジェクタの運搬時、設置時、取扱時などにおいて不慮の衝撃が加わったとしても、回転ホイールが破損してしまうという事態を未然に防止することができる。
【００２１】
（４）本発明者は、光シャッタや回転ホイールを光路内外の進行位置と退避位置との間で移動したり、これら進行位置又は退避位置のいずれかに固定したりする装置（移動装置及びロック装置）をプロジェクタに設けることにより上記したような優れた効果が得られることを見出したが、このような優れた効果の一部は、尾引き現象を緩和するための光シャッタや回転ホイールをプロジェクタに設ける場合だけに得られるのではなく、単板式プロジェクタをフルカラー化するためのカラーホイールをプロジェクタに設ける場合にも得られることを見出した。
【００２２】
すなわち、本発明のプロジェクタは、被照明領域側に照明光束を集束光束として射出する光源装置と、この光源装置からの照明光束が集束する位置近傍に光入射面を有し、前記光源装置からの照明光束をより均一な強度分布を有する照明光束に変換するインテグレータロッドと、このインテグレータロッドからの照明光束を被照明領域に導くリレー光学系と、このリレー光学系からの照明光束を画像情報に応じて変調する電気光学変調装置と、この電気光学変調装置によって変調された照明光束を投写する投写光学系と、前記インテグレータロッドの光入射面近傍に配置され、光軸に平行な回転軸を有するとともに、その回転によって、前記電気光学変調装置に照射される照明光束を時分割方式により色分離するカラーホイールとを備えたプロジェクタにおいて、前記カラーホイールを光路内外の進行位置と退避位置との間で移動させるための移動装置と、前記カラーホイールを前記進行位置又は前記退避位置のいずれかに固定するためのロック装置とをさらに備えたことを特徴とする。
【００２３】
このため、本発明のプロジェクタによれば、カラーホイールを光路内外の進行位置と退避位置との間で移動させるための移動装置をさらに備えているため、使用目的（フルカラー表示又は高輝度モノクロ表示）に応じてカラーホイールの位置を自動的に切り替えることができ、非常に使い勝手のよいプロジェクタとなる。
また、本発明のプロジェクタにおいては、カラーホイールは本来光路内外の進行位置と退避位置との間で移動可能であるがゆえに不安定となり易いのであるが、本発明のプロジェクタによれば、カラーホイールを光路内外の進行位置又は退避位置のいずれかに固定可能なロック装置をさらに備えているため、このようなカラーホイールをロック装置により光路内外の進行位置又は退避位置のいずれかに固定しておくことにより、プロジェクタの運搬時、設置時、取扱時などにおいて不慮の衝撃が加わったとしても、このようなカラーホイールが破損してしまうという事態を未然に防止することができる。
【００２４】
（５）上記（１）〜（４）のいずれかに記載のプロジェクタにおいては、前記ロック装置は、前記移動装置を駆動する駆動モータによって駆動されるように構成されていることが好ましい。
このように構成することにより、移動装置を駆動するための駆動モータによってロック装置をも駆動することとしているため、新たな駆動モータを必要とすることもなくなる。
【００２５】
（６）上記（１）〜（５）のいずれかに記載のプロジェクタにおいては、前記移動装置は、前記駆動モータの駆動によって回転するピニオン及びこのピニオンの回転によって進退するラックを有するラック−ピニオン装置を有し、前記ロック装置は、前記駆動モータの駆動によって回転するカム及びこのカムの回転によって前記ラックの係止又は係止解除を制御するロックピンを有することが好ましい。
このように構成することにより、駆動モータが回転すると、ピニオン及びカムが回転する。その結果、これらの回転動作に伴って、進行位置と退避位置との間をラックが移動したり、進行位置又は退避位置においてラックが係止されたりラックの係止が解除されたりする。これにより、ラックに固定された光シャッタ、回転ホイール又はカラーホイールが進行位置又は退避位置のいずれかに固定されたり、これらの進行位置と退避位置との間を移動したりするようになる。
【００２６】
（７）上記（６）に記載のプロジェクタにおいては、前記ラック−ピニオン装置は、前記進行位置及び前記退避位置でピニオンが空転するように構成されていることが好ましい。
このように構成することにより、進行位置及び退避位置においては、駆動モータを回転させてもラックが移動することがなくなるため、ロック装置を確実に動作させることができるようになる。
【００２７】
（８）上記（６）又は（７）に記載のプロジェクタにおいては、前記ラックは、前記進行位置においては光路側から離間する方向に退避を開始する状態に保持され、かつ、前記退避位置においては光路側に接近する方向に進行を開始する状態に保持されるように構成されていることが好ましい。
このように構成することにより、進行位置におけるロック装置による固定が解除されたらすぐにラック退避動作が開始され、また退避位置におけるロック装置による固定が解除されたらすぐにラック進行動作が開始され、確実で迅速な移動動作を行うことができるようになる。
【００２８】
（９）上記（８）に記載のプロジェクタにおいては、前記ラックは、前記進行位置においては第１スプリングによってピニオン側に付勢され、かつ、前記退避位置においては第２スプリングによってピニオン側に付勢されるように構成されていることが好ましい。
このように構成することにより、進行位置及び退避位置におけるラックの保持を、第１スプリング及びこの第１スプリングとは異なる第２スプリングによってそれぞれ確実に行うことができるようになる。
【発明を実施するための最良の形態】
【００２９】
以下、本発明のプロジェクタについて、図に示す実施の形態に基づいて説明する。
【００３０】
〔実施形態１〕
図１は、本発明の実施形態１に係るプロジェクタを説明するために示す図である。図１（ａ）は平面図であり、図１（ｂ）は側面図であり、図１（ｃ）は図１（ａ）及び図１（ｂ）の光シャッタを説明するために示す図であり、図１（ｄ）は被照明領域である電気光学変調装置としての液晶表示装置上における照明状態を示す図である。なお、以下の説明においては、互いに直交する３つの方向をそれぞれｚ方向（図１（ａ）における照明光軸方向）、ｘ方向（図１（ａ）における紙面に平行かつｚ軸に直交する方向）及びｙ方向（図１（ａ）における紙面に垂直かつｚ軸に直交する方向）とする。
【００３１】
実施形態１に係るプロジェクタ１０００Ａは、図１（ａ）及び図１（ｂ）に示すように、照明装置１００Ａと、照明装置１００Ａからの照明光束を画像情報に応じて変調する電気光学変調装置としての液晶表示装置４００と、液晶表示装置４００によって変調された照明光束をスクリーンＳＣＲなどの投写面上に投写する投写光学系６００とを備えている。
【００３２】
照明装置１００Ａは、楕円面リフレクタ１１４、高圧水銀ランプなどからなる発光管１１２及び反射手段としての補助ミラー１１６を有する光源装置１１０と、この光源装置１１０から射出された照明光束を液晶表示装置４００の画像形成領域（被照明領域）上に均一に照射するためのインテグレータロッド１２０と、このインテグレータロッド１２０からの射出光を液晶表示装置４００の画像形成領域（被照明領域）上に導くリレー光学系１４０とを有している。
【００３３】
実施形態１に係るプロジェクタ１０００Ａにおいては、図１（ａ）及び図１（ｂ）に示すように、光源装置１１０からの照明光束が集束する位置近傍に、インテグレータロッド１２０の光入射面が配置されている。また、インテグレータロッド１２０の光入射面近傍には、光シャッタとしての回転板２０とこれを回転させるための駆動モータ７２０とが配置されている。この回転板２０は、照明光軸１００Ａａｘに平行な回転軸を有し、図１（ｃ）に示すように、回転方向に沿って光透過領域２２と光非透過領域２４とが交互に配置されてなる。そして、液晶表示装置４００に照射される照明光束が液晶表示装置４００の画面書込み周波数に同期して遮断されるよう間欠的に光の遮断を行う機能を有している。
【００３４】
実施形態１に係るプロジェクタ１０００Ａにおいては、画面書込みは、液晶表示装置４００に同一画面を２度繰り返し書込む倍速駆動を行っている。そして、１回目の書込み時は光を遮断し、２回目の書込み時に光を通過させることで、液晶表示装置４００が十分に応答する前の画面に基づいて光変調を行うことがなくなり、液晶表示装置４００の応答速度に左右されない高画質の動画表示を行うことが可能となっている。
【００３５】
実施形態１に係るプロジェクタ１０００Ａにおいては、上記のような回転板２０が設けられている。このため、これを所定の速度で回転させることにより、液晶表示装置４００の画像形成領域において光照射を所定のタイミングで間欠的に行うことが容易にできるようになる。その結果、尾引き現象が緩和され、滑らかで良質な動画表示が得られるようになる。
【００３６】
また、実施形態１に係るプロジェクタ１０００Ａにおいては、上記のような効果を奏する回転板２０が比較的小さな面積となるインテグレータロッド１２０の光入射面近傍に配置されている。その結果、回転板２０の大きさを極力小さくすることができ、プロジェクタの大型化を極力抑制することができる。このため、実施形態１に係るプロジェクタは、滑らかで良質な動画表示が得られるようにした場合であっても小型化が容易な構造をもったプロジェクタとなる。
なお、光源装置１１０と回転板２０との間には赤外線ミラー１１５が配置されており、回転板２０への熱的負荷が低減されている。
【００３７】
ここで、実施形態１に係るプロジェクタにおいては、回転板２０における光非透過領域２４は、光反射領域としてある。このため、この光反射領域（光非透過領域２４）で反射された光は、楕円面リフレクタ１１４を介して発光管１１２に向かう。この光はさらに発光管１１２を通過して補助ミラー１１６によって反射され、再び楕円面リフレクタ１１４に向かい、光の再利用が図られる。また、この光が発光管１１２の発光部中心近傍に存在するプラズマに吸収される場合には、プラズマの温度が上昇し、その結果、発光強度が高まる。
このため、実施形態１に係るプロジェクタ１０００Ａによれば、滑らかで良質な動画表示が得られるようにした場合であっても光利用効率が大幅に低下しないプロジェクタとなる。
なお、この場合、回転板２０の光透過領域２２には、誘電体多層膜等からなる減反射膜を形成することで、光利用効率の低下を最小限のものにすることができる。
【００３８】
次に、光シャッタ装置７００の詳細について、図２〜図４を用いて説明する。
図２は、実施形態１に係るプロジェクタにおける光シャッタ装置を説明するために示す平面図である。図３は、光シャッタ装置における移動装置の動作を説明するために示す図である。図３（ａ）〜図３（ｃ）はそれぞれ、退避位置、中間位置、進行位置における移動装置を模式的に示す図であり、図３（ｄ）は進行位置における移動装置の平面図である。図４は、光シャッタ装置におけるロック装置のカム動作を説明するために示す図である。図４（ａ）〜図４（ｃ）はそれぞれ、退避位置、中間位置、進行位置における移動装置を模式的に示す図であり、図４（ｄ）〜図４（ｆ）は、その要部を示す図である。
【００３９】
光シャッタ装置７００は、図２に示すように、回転板２０と、回転板２０を回転させるための駆動モータ７２０と、移動装置７３０と、ロック装置７４０とから大略構成されている。
【００４０】
駆動モータ７２０は、スライドホルダ７２１にブラケット７２２を介して取り付けられ、回転板２０に回転力を付与するように構成されている。スライドホルダ７２１は、光路の片側側方に照明光軸１００Ａａｘと直角な水平方向（矢印ｂ１，ｂ２方向）に進退可能に配設され、光路から離間する方向（スライドホルダ退避側）に引張スプリング（第１スプリング）７２３によって常時付勢されている。スライドホルダ７２１の進行方向側端部及び退避方向側端部のうち退避方向側端部には、スライドホルダ上方端縁を切り欠くことにより凹部７２１Ａが設けられている（図３（ａ）参照。）。また、スライドホルダ７２１には、凹部７２１Ａの両側に位置する貫通孔としての係止孔７２１Ｂ，７２１Ｃ及び下方に突出するスライドホルダ付勢用ロッド７２１Ｄが設けられている。
【００４１】
凹部７２１Ａの底面中央部には、図３（ｃ）に示すように、スライドホルダ７２１の進退方向に沿って延在するラック−ピニオン装置７５０のラック７５１が設けられている。ラック７５１は、進行位置で光路側から離間する方向にスライドホルダ７２１と共に退避を開始する状態に引張スプリング７２３によって保持され、かつ、退避位置で光路側に接近する方向にスライドホルダ７２１とともに進行を開始する状態にスライドホルダ受け７２４Ａ付きの圧縮スプリング（第２スプリング）７２４によって保持されている。圧縮スプリング７２４の弾撥力は、引張スプリング７２３の弾撥力より大きい弾撥力に設定されている。凹部７２１Ａの両側部には、ラック７５１に隣接して空間部７２５，７２６が設けられている。
【００４２】
移動装置７３０は、光シャッタ移動用の駆動モータ７３１を有し、回転板２０にラック−ピニオン装置７５０を介して光路内外の進行位置と退避位置との間を移動可能な進退力を付与するように構成されている。駆動モータ７３１のモータ軸７３１Ａには、ラック７５１に噛合する（但し、空間部７２５，７２６においては噛合状態が解除されるよう構成されている。）ラック−ピニオン装置７５０のピニオン７５２が固着されている。
【００４３】
ロック装置７４０は、カム７４１及びロックピン７４２，７４３を有し、駆動モータ７３１の駆動によって回転板２０を光路内外の進行位置又は退避位置のいずれかに固定し得るように構成されている。カム７４１は、図４（ｄ）〜図４（ｆ）に示すように、カム端部７４１Ａ，７４１Ｂを有し、ピニオン７５２と同様に駆動モータ７３１のモータ軸７３１Ａに固着されている。そして、図４（ｅ）に示すように、矢印Ａ方向（図２参照。）に沿った方向に見たときの時計回り（矢印ａ２方向）及び反時計回り（矢印ａ１方向）に回転するように構成されている。
【００４４】
ロックピン７４２，７４３は、図４（ｄ）及び図４（ｆ）に示すように、カム端部７４１Ａ，７４１Ｂに対応する傾斜面７４２Ｓ，７４３Ｓを有し、カム７４１の両側方に照明光軸１００Ａａｘと平行な方向に（ロックピン７４２は矢印ｃ１，ｃ２方向に、ロックピン７４３は矢印ｄ１，ｄ２方向に）進退自在に配設されている。また、ロックピン７４２，７４３は、図２に示すように、引張スプリング７４４，７４５によってスライドホルダ７２１から離間する方向に付勢されている。そして、退避位置からカム７４１の矢印ａ１方向（反時計回り）回転によるカム端部７４１Ｂの傾斜面７４３Ｓへの押圧によって係止孔７２１Ｃに挿入され、また進行位置からカム７４１の矢印ａ２方向（時計回り）回転によるカム端部７４１Ａの傾斜面７４２Ｓへの押圧によって係止孔７２１Ｂに挿入され、それぞれスライドホルダ７２１（回転板２０）を係止するように構成されている。また、進行位置からカム７４１の矢印ａ２方向（時計回り）回転によるカム端部７４１Ｂの傾斜面７４３Ｓへの押圧解除によって係止孔７２１Ｃから引き抜かれ、また退避位置からカム７４１の矢印ａ１方向（反時計回り）回転によるカム端部７４１Ａの傾斜面７４２Ｓへの押圧解除によって係止孔７２１Ｂから引き抜かれ、それぞれスライドホルダ７２１（回転板２０）への係止状態を解除するように構成されている。
【００４５】
次に、実施形態１に係るプロジェクタにおける進行位置及び退避位置での回転板２０のロック動作について、図２〜図４を用いて説明する。
【００４６】
まず、回転板２０を退避位置から進行位置に移動させて固定する場合について説明する。この場合、スライドホルダ７２１（回転板２０）はロック装置７４０によって退避位置に固定されているものとする。このため、ピニオン７５２は、図３（ａ）に示すように、空間部７２５に配置されたままである。また、ロックピン７４２は、図４（ａ）に示すように、係止孔７２１Ｂに挿入されており、ロックピン７４３は、図４（ａ）に示すように、係止孔７２１Ｃから引き抜かれている。
【００４７】
回転板２０の進行位置への移動は、図４（ａ）に示す退避位置でのロック状態を解除して、図４（ｃ）に示す進行位置にスライドホルダ７２１を進行させることにより行う。回転板２０を進行させるには、駆動モータ７３１の駆動によってピニオン７５２及びカム７４１を図４（ｅ）に示す矢印ａ１方向（反時計回り）に回動させる。このとき、ピニオン７５２は空間部７２５において空転するため、スライドホルダ７２１は退避位置に配置されたままである。カム７４１が回動すると、カム端部７４１Ａによる傾斜面７４２Ｓへの押圧位置が上昇し、この上昇動作に追随してロックピン７４２が図４（ｆ）に示す矢印ｃ１方向に引張スプリング７４４によって退避し、係止孔７２１Ｂとの係止状態が解除される。
【００４８】
この状態から、駆動モータ７３１の駆動によってピニオン７５２及びカム７４１を矢印ａ１方向（反時計回り）にさらに回動させる。このとき、ピニオン７５２は回動によって空間部７２５からラック７５１の部分に変位して噛合し、これによりスライドホルダ７２１は図３（ａ）及び図４（ａ）に示す退避位置から図３（ｂ）及び図４（ｂ）に示す矢印ｂ１方向に進行を開始する。
【００４９】
そして、駆動モータ７３１の駆動によってピニオン７５２及びカム７４１を矢印ａ１方向（反時計回り）にさらに回動させる。このとき、ピニオン７５２が回動すると、スライドホルダ７２１が図３（ｂ）及び図４（ｂ）に示す矢印ｂ１方向に進行する。それと同時にスライドホルダ付勢用ロッド７２１Ｄが圧縮スプリング７２４から離間し、圧縮スプリング７２４による押圧状態が解除される。
【００５０】
そして、駆動モータ７３１の駆動によってピニオン７５２及びカム７４１を矢印ａ１方向（反時計回り）にさらに回動させる。このとき、図３（ｃ）に示すように、ピニオン７５２が回動によってラック７５１の部分から空間部７２６に変位し、ラック７５１との噛合状態が解除される。同時にスライドホルダ７２１は、図３（ｃ）に示すように、引張スプリング７２３の弾撥力をピニオン側に受けた状態で、進行位置に配置される。
【００５１】
この後、駆動モータ７３１の駆動によってピニオン７５２及びカム７４１を矢印ａ１方向（反時計回り）にさらに回動させる。この場合、カム７４１が回動すると、ロックピン７４３が傾斜面７４３Ｓにカム端部７４１Ｂによる押圧力を受け、これに伴い図４（ｄ）に示す矢印ｄ２方向に進行して係止孔７２１Ｃ内に移動し、係止孔７２１Ｃに係止される。なお、この係止動作中、ピニオン７５２は空転するため、スライドホルダ７２１が進行位置に配置されたままロックピン７４３によって固定される。
このようにして、回転板２０の進行位置でのロック動作を行うことができる。
【００５２】
次に、回転板２０を進行位置から退避位置に移動させて固定する場合について説明する。この場合、スライドホルダ７２１（回転板２０）はロック装置７４０によって進行位置に固定されているものとする。このため、ピニオン７５２は、図３（ｃ）に示すように、空間部７２６に配置されたままである。また、ロックピン７４３は、図４（ｃ）に示すように、係止孔７２１Ｃに挿入されており、ロックピン７４２は、図４（ｃ）に示すように、係止孔７２１Ｂから引き抜かれている。
【００５３】
回転板２０の退避位置への移動は、図４（ｃ）に示す進行位置でのロック状態を解除して、図４（ａ）に示す退避位置にスライドホルダ７２１を進行させることにより行う。回転板２０を退避させるには、駆動モータ７３１の駆動によってピニオン７５２及びカム７４１を図４（ｅ）に示す矢印ａ２方向（時計回り）に回動させる。このとき、ピニオン７５２は空間部７２６において空転するため、スライドホルダ７２１は進行位置に配置されたままである。カム７４１が回動すると、カム端部７４１Ｂによる傾斜面７４３Ｓへの押圧位置が上昇し、この上昇動作に追随してロックピン７４３が図４（ｄ）に示す矢印ｄ１方向に引張スプリング７４５によって退避し、係止孔７２１Ｂとの係止状態が解除される。
【００５４】
この状態から、駆動モータ７３１の駆動によってピニオン７５２及びカム７４１を矢印ａ２方向（時計回り）にさらに回動させる。このとき、ピニオン７５２は回動によって空間部７２６からラック７５１の部分に変位して噛合し、これによりスライドホルダ７２１は図３（ｃ）及び図４（ｃ）に示す進行位置から図３（ｂ）及び図４（ｂ）に示す矢印ｂ２方向に進行を開始する。
【００５５】
そして、駆動モータ７３１の駆動によってピニオン７５２及びカム７４１を矢印ａ２方向（時計回り）にさらに回動させる。このとき、ピニオン７５２が回動すると、スライドホルダ７２１が図３（ｂ）及び図４（ｂ）に示す矢印ｂ２方向に進行する。
【００５６】
そして、駆動モータ７３１の駆動によってピニオン７５２及びカム７４１を矢印ａ２方向（時計回り）にさらに回動させる。このとき、図３（ａ）に示すように、ピニオン７５２が回動によってラック７５１の部分から空間部７２５に変位し、ラック７５１との噛合状態が解除される。同時にスライドホルダ７２１は、図３（ａ）に示すように、引張スプリング７２３の弾撥力をピニオン側に受けた状態で、進行位置に配置される。
【００５７】
この後、駆動モータ７３１の駆動によってピニオン７５２及びカム７４１を矢印ａ２方向（時計回り）にさらに回動させる。この場合、カム７４１が回動すると、ロックピン７４２が傾斜面７４２Ｓにカム端部７４１Ａによる押圧力を受け、これに伴い図４（ｆ）に示す矢印ｃ２方向に進行して係止孔７２１Ｂ内に移動し、係止孔７２１Ｂに係止される。なお、この係止動作中、ピニオン７５２は空転するため、スライドホルダ７２１が進行位置に配置されたままロックピン７４２によって固定される。
このようにして、回転板２０の退避位置でのロック動作を行うことができる。
【００５８】
以上の構成により、実施形態１に係るプロジェクタ１０００Ａによれば、回転板２０を光路内外の進行位置と退避位置との間を移動させるための移動装置７３０をさらに備えているため、静止画を表示するときや動画表示の滑らかさよりも画面の明るさが優先されるようなときには、回転板２０を光路外の位置（退避位置）へ移動することにより、液晶表示装置４００には連続して照明光束が照射されるようになり、光利用効率が低下することがなくなる。
このため、実施形態１に係るプロジェクタ１０００Ａによれば、滑らかで良質な動画表示が求められるときには回転板２０を光路内の位置（進行位置）へ移動することにより、滑らかで良質な動画表示を得ることができ、静止画を表示するときや動画表示の滑らかさよりも画面の明るさが優先されるようなときには回転板２０を光路外の位置（退避位置）へ移動することにより、明るい表示画面を得ることができ、使用目的に応じて最適な性能を発揮することができる。
【００５９】
また、実施形態１に係るプロジェクタ１０００Ａは、回転板２０は本来光路内外の進行位置と退避位置との間で移動可能であるがゆえに不安定となり易いのであるが、実施形態１に係るプロジェクタ１０００Ａによれば、回転板２０を進行位置又は退避位置のいずれかに固定するためのロック装置７４０をさらに備えているため、回転板２０をロック装置７４０により光路内外の進行位置又は退避位置のいずれかに固定しておくことにより、プロジェクタの運搬時、設置時、取扱時などにおいて不慮の衝撃が加わったとしても、光シャッタが破損してしまうという事態を未然に防止することができる。
【００６０】
実施形態１に係るプロジェクタ１０００Ａによれば、ロック装置７４０は、移動装置７３０を駆動する駆動モータ７３１によって駆動されるように構成されているため、移動装置７３０を駆動するための駆動モータ７３１によってロック装置７４０をも駆動することとしているため、新たな駆動モータを必要とすることもなくなる。
【００６１】
また、実施形態１に係るプロジェクタ１０００Ａによれば、移動装置７３０は、駆動モータ７３１の駆動によって回転するピニオン７５２及びこのピニオン７５２の回転によって進退するラック７５１を有するラック−ピニオン装置７５０を有し、ロック装置７４０は、駆動モータの駆動７３１によって回転するカム７４１及びこのカム７４１の回転によってラック７５１の係止又は係止解除を制御するロックピン７４２，７４３を有しているため、駆動モータ７３１が回転すると、ピニオン７５２及びカム７４１が回転する。その結果、これらの回転動作に伴って、進行位置と退避位置との間をラック７５１が移動したり、進行位置又は退避位置においてラック７５１が係止されたりラック７５１の係止が解除されたりする。これにより、ラック７５１に固定された回転板２０が進行位置又は退避位置のいずれかに固定されたり、これらの進行位置と退避位置との間を移動したりするようになる。
【００６２】
また、実施形態１に係るプロジェクタ１０００Ａによれば、ラック−ピニオン装置７５０は、進行位置及び退避位置でピニオン７５２が空転するように構成されているため、進行位置及び退避位置においては、駆動モータ７３１を回転させてもラック７５１が移動することがなくなるため、ロック装置７４０を確実に動作させることができるようになる。
【００６３】
また、実施形態１に係るプロジェクタ１０００Ａによれば、ラック７５１は、進行位置においては光路側から離間する方向に退避を開始する状態に保持され、かつ、退避位置においては光路側に接近する方向に進行を開始する状態に保持されるように構成されているため、進行位置におけるロック装置７４０による固定が解除されたらすぐにラック退避動作が開始され、また退避位置におけるロック装置７４０による固定が解除されたらすぐにラック進行動作が開始され、確実で迅速な移動動作を行うことができるようになる。
【００６４】
また、実施形態１に係るプロジェクタ１０００Ａによれば、ラック７５１は、進行位置においては引張スプリング７２３によってピニオン側に付勢され、かつ、退避位置においては圧縮スプリング７２４によってピニオン側に付勢されるように構成されているため、進行位置及び退避位置におけるラックの保持を、引張スプリング７２３及び圧縮スプリング７２４によってそれぞれ確実に行うことができるようになる。
【００６５】
〔実施形態２〕
図５は、本発明の実施形態２に係るプロジェクタを説明するために示す図である。図５（ａ）は平面図であり、図５（ｂ）は側面図であり、図５（ｃ）は図５（ａ）及び図５（ｂ）の光シャッタを説明するために示す図であり、図５（ｄ）は被照明領域である液晶表示装置上における照明状態を示す図である。図５において、図１と同一の部材については同一の符号を付し、詳細な説明は省略する。
【００６６】
実施形態２に係るプロジェクタ１０００Ｂは、図５に示すように、実施形態１に係るプロジェクタ１０００Ａとは、液晶表示装置の数とインテグレータ光学系の種類とが異なっている。
すなわち、実施形態２に係るプロジェクタ１０００Ｂにおいては、３枚の液晶表示装置４００Ｒ，４００Ｇ，４００Ｂを用いている。このため、高い光利用効率でフルカラー表示ができるようになっている。
また、実施形態２に係るプロジェクタ１０００Ｂにおいては、インテグレータロッド１２０の代わりに、レンズインテグレータとしての第１レンズアレイ１６０、第２レンズアレイ１７０及び重畳レンズ１９０を用いている。このため、実施形態２に係るプロジェクタ１０００Ｂにおいても、実施形態１に係るプロジェクタ１０００Ａの場合と同様に、液晶表示装置４００Ｒ，４００Ｇ，４００Ｂの画像形成領域上で光強度分布が均一化されるようになっている。
【００６７】
実施形態２に係るプロジェクタ１０００Ｂは、上記したように液晶表示装置の数とインテグレータ光学系の種類とが実施形態１に係るプロジェクタ１０００Ａの場合とは異なっているが、実施形態１に係るプロジェクタ１０００Ａの場合と同様に、液晶表示装置（液晶表示装置４００Ｒ，４００Ｇ，４００Ｂ）に照射される照明光束が液晶表示装置（液晶表示装置４００Ｒ，４００Ｇ，４００Ｂ）の画面書込み周波数に同期して遮断されるよう間欠的に光の遮断を行う回転板２０を備えている。このため、各液晶表示装置４００Ｒ，４００Ｇ，４００Ｂの画像形成領域においては光照射が所定のタイミングで間欠的に行われるようになる。その結果、実施形態２に係るプロジェクタ１０００Ｂにおいても、尾引き現象が緩和され、滑らかで良質な動画表示が得られるプロジェクタとなる。
また、実施形態２に係るプロジェクタ１０００Ｂにおいては、このような効果を奏する回転板２０が光源装置１１０からの照明光束が集束する位置近傍に配置されているため、回転板２０の大きさを比較的小さくすることができ、プロジェクタの大型化を極力抑制することができる構造となっている。
このため、実施形態２に係るプロジェクタ１０００Ｂは、滑らかで良質な動画表示が得られるようにした場合であっても小型化が容易な構造をもったプロジェクタとなる。
【００６８】
また、実施形態２に係るプロジェクタ１０００Ｂによれば、実施形態１に係るプロジェクタ１０００Ａの場合と同様に、回転板２０を光路内外の進行位置と退避位置との間で移動させるための移動装置をさらに備えているため、静止画を表示するときや動画表示の滑らかさよりも画面の明るさが優先されるようなときには、回転板２０を光路外の位置（退避位置）へ移動することにより、液晶表示装置４００Ｒ，４００Ｇ，４００Ｂには連続して照明光束が照射されるようになり、光利用効率が低下することがなくなる。
このため、実施形態２に係るプロジェクタ１０００Ｂによれば、滑らかで良質な動画表示が求められるときには回転板２０を光路内の位置（進行位置）へ移動することにより、滑らかで良質な動画表示を得ることができ、静止画を表示するときや動画表示の滑らかさよりも画面の明るさが優先されるようなときには回転板２０を光路外の位置（退避位置）へ移動することにより、明るい表示画面を得ることができ、使用目的に応じて最適な性能を発揮することができる。
【００６９】
なお、実施形態２に係るプロジェクタ１０００Ｂにおける回転板２０の移動装置及び回転板２０のロック装置は、実施形態１に係るプロジェクタ１０００Ａにおける回転板２０の移動装置７３０及び回転板２０のロック装置７４０と同じ構成を有している。このため、実施形態１に係るプロジェクタ１０００Ａで得られるのと同様の効果が得られる。
【００７０】
〔実施形態３〕
図６は、本発明の実施形態３に係るプロジェクタを説明するために示す図である。図６（ａ）は平面図であり、図６（ｂ）は側面図であり、図６（ｃ）は図６（ａ）及び図６（ｂ）の回転ホイールを説明するために示す図であり、図６（ｄ）は被照明領域である液晶表示装置上における照明状態を示す図である。図６において、図１と同一の部材については同一の符号を付し、詳細な説明は省略する。
【００７１】
実施形態３に係るプロジェクタ１０００Ｃが実施形態１に係るプロジェクタ１０００Ａと異なるのは、光シャッタとしての回転板２０に代えて、図６（ｃ）に示すような回転ホイール３０を用いたこと及び回転ホイール３０の配置されている位置である。
【００７２】
実施形態３に係るプロジェクタ１０００Ｃは、上記したように回転板２０の代わりに回転ホイール３０を用いたこと及び回転ホイール３０が配置されている位置が実施形態１に係るプロジェクタ１０００Ａの場合とは異なっているが、このような実施形態３に係るプロジェクタ１０００Ｃにおいても、実施形態１に係るプロジェクタ１０００Ａの場合と同様に、液晶表示装置４００の画面書込み周波数に同期して、光照射領域と光非照射領域とが順次交互にスクロールされるように渦巻き状に形成された光透過領域３２及び光非透過領域３４を有する回転ホイール３０を備えている。このため、液晶表示装置４００の画像形成領域においては光照射領域と光非照射領域とが順次交互にスクロールされるようになる。その結果、実施形態３に係るプロジェクタ１０００Ｃの場合においても、実施形態１に係るプロジェクタ１０００Ａの場合と同様に、尾引き現象が緩和され、滑らかで良質な動画表示が得られるようになる。
【００７３】
また、実施形態３に係るプロジェクタ１０００Ｃにおいては、このような効果を奏する回転ホイール３０を比較的小さな面積となるインテグレータロッド１２０の光射出面近傍に配置されているため、回転ホイール３０の大きさを比較的小さくすることができ、プロジェクタの大型化を極力抑制することができる構造となっている。
このため、実施形態３に係るプロジェクタ１０００Ｃは、滑らかで良質な動画表示が得られるようにした場合であっても小型化が容易な構造をもったプロジェクタとなる。
【００７４】
また、実施形態３に係るプロジェクタ１０００Ｃによれば、実施形態１に係るプロジェクタ１０００Ａの場合と同様に、回転ホイール３０を光路内外の進行位置と退避位置との間で移動させるための移動装置をさらに備えているため、静止画を表示するときや動画表示の滑らかさよりも画面の明るさが優先されるようなときには、回転ホイール３０を光路外の位置（退避位置）へ移動することにより、液晶表示装置４００には連続して照明光束が照射されるようになり、光利用効率が低下することがなくなる。
このため、実施形態３に係るプロジェクタ１０００Ｃによれば、滑らかで良質な動画表示が求められるときには回転ホイール３０を光路内の位置（進行位置）へ移動することにより、滑らかで良質な動画表示を得ることができ、静止画を表示するときや動画表示の滑らかさよりも画面の明るさが優先されるようなときには回転ホイール３０を光路外の位置（退避位置）へ移動することにより、明るい表示画面を得ることができ、使用目的に応じて最適な性能を発揮することができる。
【００７５】
なお、実施形態３に係るプロジェクタ１０００Ｃにおける回転ホイール３０の移動装置及び回転ホイール３０のロック装置は、実施形態１に係るプロジェクタ１０００Ａにおける回転板２０の移動装置７３０及び回転板２０のロック装置７４０と基本的には同じ構成を有している。このため、実施形態１に係るプロジェクタ１０００Ａで得られるのと同様の効果が得られる。
【００７６】
〔実施形態４〕
図７は、本発明の実施形態４に係るプロジェクタを説明するために示す図である。図７（ａ）は平面図であり、図７（ｂ）は側面図であり、図７（ｃ）は図７（ａ）及び図７（ｂ）のカラーホイールを説明するために示す図である。図７において、図１と同一の部材については同一の符号を付し、詳細な説明は省略する。
【００７７】
実施形態４に係るプロジェクタ１０００Ｄは、電気光学変調装置としてマイクロミラーによる１枚の反射型光変調装置４１０を用いた単板式プロジェクタでありながら、カラーホイール４０を用いることによって、フルカラー表示を可能としたプロジェクタである。
【００７８】
このように、実施形態４に係るプロジェクタ１０００Ｄにおいては、フルカラー表示を可能にするためのカラーホイール４０を用いているが、このカラーホイール４０の移動装置及びカラーホイール４０のロック装置は、実施形態１に係るプロジェクタ１０００Ａにおける回転板２０の移動装置７３０及び回転板２０のロック装置７４０と基本的には同じ構成を有している。このため、実施形態１に係るプロジェクタ１０００Ａで得られるのと同様の効果が得られる。
【００７９】
以上、各実施形態に基づいて本発明を詳細に説明したが、本発明はこれらの上記実施形態に限られるものではない。例えば、本発明は、投写画像を観察する側から投写するフロント投写型プロジェクタに適用する場合にも、投写画像を観察する側とは反対の側から投写するリア投写型プロジェクタにも適用できる。
【図面の簡単な説明】
【００８０】
【図１】実施形態１に係るプロジェクタを説明するために示す図。
【図２】実施形態１に係るプロジェクタにおける光シャッタ装置を説明するために示す平面図。
【図３】光シャッタ装置における移動装置の動作を説明するために示す図。
【図４】光シャッタ装置におけるロック装置のカム動作を説明するために示す図。
【図５】実施形態２に係るプロジェクタを説明するために示す図。
【図６】実施形態３に係るプロジェクタを説明するために示す図。
【図７】実施形態４に係るプロジェクタを説明するために示す図。
【図８】従来のプロジェクタを説明するために示す図。
【図９】従来の他のプロジェクタを説明するために示す図。
【符号の説明】
【００８１】
２０…回転板、２２，３２…光透過領域、２４，３４…光非透過領域、３０…回転ホイール、４０…カラーホイール、１００Ａ，１００Ｂ，１００Ｃ，１００Ｄ…照明装置、１００Ａａｘ…照明光軸、１１０…光源装置、１１２…発光管、１１４…楕円面リフレクタ、１１５…赤外線ミラー、１１６…補助ミラー、１２０…インテグレータロッド、１４０…リレー光学系、１５０…平行化凸レンズ、１６０…第１レンズアレイ、１７０…第２レンズアレイ、１８０…偏光変換素子、１９０…重畳レンズ、２００…色分離光学系、２５０…反射ミラー、３００…リレー光学系、４００，４００Ｒ，４００Ｇ，４００Ｂ…液晶表示装置、４１０…反射型光変調装置、５００…クロスダイクロイックプリズム、５００Ｂ…反射型プリズム、６００…投写光学系、７００，７００Ｂ…光シャッタ装置、７００Ｃ…回転ホイール装置、７００Ｄ…カラーホイール装置、７２０…駆動モータ、７２１…スライドホルダ、７２３…第１スプリング（引張スプリング）、７２４…第２スプリング（圧縮スプリング）、７３０…移動装置、７３１…駆動モータ、７４０…ロック装置、７４１…カム、７４１Ａ，７４１Ｂ…カム端部、７４２，７４３…ロックピン、７５０…ラック−ピニオン装置、７５１…ラック、７５２…ピニオン、９００Ａ，９００Ｂ，１０００Ａ，１０００Ｂ，１０００Ｃ，１０００Ｄ…プロジェクタ
【図１】
2005208131.tif 000003
【図２】
2005208131.tif 000004
【図３】
2005208131.tif 000005
【図４】
2005208131.tif 000006
【図５】
2005208131.tif 000007
【図６】
2005208131.tif 000008
【図７】
2005208131.tif 000009
【図８】
2005208131.tif 000010
【図９】
2005208131.tif 000011